(57)【要約】      （修正有）【課題】通常時は開度規制部によって障子の開閉範囲を規制しつつ、非常時は容易な操作で開度規制部の規制を解除する構成をシンプルな構造で実現できる建具を提供する。【解決手段】開き窓（建具）は、建物の開口部に配置される枠体１０と、枠体１０に開閉可能に支持される障子１５と、枠体１０に離脱可能に連結される枠体側固定部５５及び障子１５に設けられるガイドピン（係合部材）２６がスライド移動可能に連結されるガイド溝５１を有し、障子１５の開閉範囲を規制するアーム部５０と、枠体１０と枠体側固定部５５の連結を解除可能な外部開放錠（外部操作部）６０と、を備える。外部開放錠６０が室外側から操作されることにより、枠体側固定部５５と枠体１０の連結が解除され、ガイドピン２６とガイド溝５１が連結された状態のままアーム部５０の規制を解除可能に構成される。【選択図】図５
2018131731.tif 000002
【特許請求の範囲】
【請求項１】
建物の開口部に配置される枠体と、
前記枠体に開閉可能に支持される障子と、
前記枠体に離脱可能に連結される枠体側固定部及び前記障子に設けられる係合部材がスライド移動可能に連結されるガイド溝を有し、前記障子の開閉範囲を規制するアーム状の開度規制部と、
前記枠体と前記枠体側固定部の連結を解除可能な外部操作部と、
を備え、
前記外部操作部が室外側から操作されることにより、前記枠体側固定部と前記枠体の連結が解除され、前記係合部材と前記ガイド溝が連結された状態のまま前記開度規制部の規制を解除可能な建具。
【請求項２】
前記枠体側固定部には切欠部が形成され、
前記外部操作部は、前記切欠部に係合し、前記枠体側固定部と前記枠体を連結する係合ピンを有し、
前記外部操作部の操作により、前記係合ピンが前記切欠部から離間して前記枠体と前記枠体側固定部の連結が解除される請求項１に記載の建具。
【請求項３】
前記切欠部は、上方に開口しており、
前記外部操作部を上方に移動させることで前記枠体と前記枠体側固定部の連結が解除される請求項２に記載の建具。
【発明の詳細な説明】
【技術分野】
【０００１】
本発明は、障子の開閉範囲を規制する開度規制部を備えた建具に関する。
【背景技術】
【０００２】
従来、枠体に対する障子の開閉範囲を規制する開度規制部を備える建具において、開度規制部による規制を解除する機能を有するものが知られている。この種の技術を開示するものとして例えば特許文献１や特許文献２がある。特許文献１には、案内溝にピンが進入する場合には、開移動する面材の開度を予め決められた大きさに規制する一方、案内溝からピンが離脱する場合には、開移動する面材が全開状態となることを許容する開度規制装置について記載されている。また、特許文献２には、非常時において、外部開放装置の屋外操作部の開操作によって、第１連動部を介して錠係合部が解錠位置に移動されるとともに、第２連動部を介して規制切替手段を作動させて角度規制アームの他端側の規制が解除側に切り替えられることで、当該面材が全開可能に構成されている建具について記載されている。
【先行技術文献】
【特許文献】
【０００３】
【特許文献１】特開２０１３−１４４８８３号公報
【特許文献２】特開２０１０−７１０４３号公報
【発明の概要】
【発明が解決しようとする課題】
【０００４】
特許文献１や特許文献２に記載される従来の構造は、規制を解除するためにスライダや連動部材を用いる構成であるため、規制を解除するための構造が複雑化してしまい、部品点数も多くなってしまう。また、仕様によっては、開度規制部による規制を解除する機構が必要のない場合もあるが、スライダや連動部材を用いる構造では単純に部品の共通化を行い難かった。
【０００５】
本発明は、通常時は開度規制部によって障子の開閉範囲を規制しつつ、非常時は容易な操作で開度規制部の規制を解除する構成をシンプルな構造で実現できる建具を提供することを目的とする。
【課題を解決するための手段】
【０００６】
本発明は、建物の開口部に配置される枠体（例えば、後述の枠体１０）と、前記枠体に開閉可能に支持される障子（例えば、後述の障子１５）と、前記枠体に離脱可能に連結される枠体側固定部（例えば、後述の枠体側固定部５５）及び前記障子に設けられる係合部材（例えば、後述のガイドピン２６）がスライド移動可能に連結されるガイド溝（例えば、後述のガイド溝５１）を有し、前記障子の開閉範囲を規制するアーム状の開度規制部（例えば、後述のアーム部５０）と、前記枠体と前記枠体側固定部の連結を解除可能な外部操作部（例えば、後述の外部開放錠６０）と、を備え、前記外部操作部が室外側から操作されることにより、前記枠体側固定部と前記枠体の連結が解除され、前記係合部材と前記ガイド溝が連結された状態のまま前記開度規制部の規制を解除可能な建具（例えば、後述の開き窓１）に関する。
【０００７】
前記枠体側固定部には切欠部（例えば、後述の上側切欠部５９）が形成され、前記外部操作部は、前記切欠部に係合し、前記枠体側固定部と前記枠体を連結する係合ピン（例えば、後述の係合ピン６２）を有し、前記外部操作部の操作により、前記係合ピンが前記切欠部から離間して前記枠体と前記枠体側固定部の連結が解除されることが好ましい。
【０００８】
前記切欠部は、上方に開口しており、前記外部操作部を上方に移動させることで前記枠体と前記枠体側固定部の連結が解除されることが好ましい。
【発明の効果】
【０００９】
本発明の建具によれば、通常時は開度規制部によって障子の開閉範囲を規制しつつ、非常時は容易な操作で開度規制部の規制を解除する構成をシンプルな構造で実現できる。
【図面の簡単な説明】
【００１０】
【図１】本発明の一実施形態に係る建具としての開き窓を示す姿図である。
【図２】本実施形態の障子の閉鎖状態におけるアーム部及びその近傍の様子を模式的に示す図である。
【図３】本実施形態の障子の開度が規制されている状態におけるアーム部及び外部開放錠の様子を模式的に示す図である。
【図４】本実施形態の枠体と枠体側固定部の連結が解除された状態におけるアーム部及び外部開放錠の様子を模式的に示す図である。
【図５】本実施形態の枠体側固定部が回動中のアーム部及び外部開放錠の様子を模式的に示す図である。
【図６】本実施形態の開閉範囲の規制が解除された状態におけるアーム部及び外部開放錠の様子を模式的に示す図である。
【発明を実施するための形態】
【００１１】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚さ方向（即ち奥行方向）を意味する。
【００１２】
図１は、本発明の一実施形態に係る建具としての開き窓１を示す姿図である。図１に示す開き窓１は、例えば建物の２階以上の開口部に用いられるものであり、図１では室内側から開き窓１を見た様子が示されている。この開き窓１は、後述するように、非常時に消防隊員等が建物の内部に侵入するための非常侵入口としても機能する。なお、本実施形態の開き窓１は、１階の開口部に用いられてもよい。
【００１３】
本実施形態の開き窓１は、建物の開口部に固定される枠体１０と、枠体１０に開閉可能に取り付けられる障子１５と、障子１５の開口範囲を規制する開度規制装置４０と、を主要な構成として備える。
【００１４】
枠体１０は、上枠１１、下枠１２、左右の縦枠１３，１４が矩形に枠組みされて構成される。枠体１０には、障子１５を開閉可能にするための開閉機構（図示省略）が配置される。本実施形態では、障子１５の開閉機構は縦辷り出し式のものである。なお、吊元側の縦枠１３に設けられるヒンジにより回転可能に支持される方式の開き窓であってもよい。
【００１５】
障子１５は、面材としてのガラス２５と、ガラス２５の端部を囲む框２０と、から構成される。框２０は、上框２１、下框２２、左右の縦框２３，２４に枠組みされており、ガラス２５の４周を囲んでいる。戸先側の縦框２４には、障子１５の閉鎖状態を解除するグレモンハンドル錠３０が配置される。
【００１６】
開度規制装置４０は、障子１５の開閉範囲を全開状態よりも狭い所定範囲に規制するとともに、非常時に開度の規制を解除する機能を有する。次に、開度規制装置４０の詳細な構成について図２〜図６を参照して説明する。なお、図２〜図６では、障子１５側から縦枠１４の見込面側を見た様子が示されている。
【００１７】
図２は、本実施形態の障子１５の閉鎖状態におけるアーム部５０及び外部開放錠６０の様子を模式的に示す図である。図３は、本実施形態の障子１５の開度が規制されている状態におけるアーム部５０及び外部開放錠６０の様子を模式的に示す図である。
【００１８】
図２及び図３に示すように、本実施形態の開度規制装置４０は、枠体１０と障子１５を連結して障子１５の開度を規制するアーム部（開度規制部）５０と、アーム部５０と枠体の連結を解除する外部開放錠（外部操作部）６０と、を備える。
【００１９】
アーム部５０は、全体として細長の板状に形成される。アーム部５０の障子１５側には、当該アーム部５０の長手方向に沿って延びるガイド溝５１が形成される。縦框２４（障子１５）の端面（見込面）には、ガイド溝５１に係合するガイドピン２６が配置される。アーム部５０は、ガイドピン２６を介して障子１５に連結されている。本実施形態のガイド溝５１は、障子１５の移動軌跡に応じて円弧状の部分を含むように構成されており、貫通状の孔となっている。なお、ガイド溝５１の形状は、障子１５の移動軌跡や回動範囲に応じて適宜その形状を変更することができる。
【００２０】
アーム部５０の枠体１０側は、縦枠１４（枠体１０）に枠体側固定部５５を介して連結される。枠体側固定部５５は、細長の矩形の板状に形成されている。図２及び図３に示すように、枠体側固定部５５は、規制状態では、その長手方向が上下方向に沿うように縦枠１４に固定される。
【００２１】
枠体側固定部５５は、その長手方向中央に配置される連結ピン５６によりアーム部５０に対して回転可能に連結される。アーム部５０と枠体側固定部５５は、ねじりバネ５７により連結される。ねじりバネ５７の弾性変形により、アーム部５０が障子１５の移動に良好に追従できるようになっている。
【００２２】
枠体側固定部５５の下端部には略Ｕ字状の下側切欠部５８が形成される。縦枠１４には枠体側固定部５５の下端部を固定するためのネジ７１が取り付けられており、下側切欠部５８に該ネジ７１の軸部が入り込んだ状態となることで、枠体側固定部５５の下端部が縦枠１４に固定される。
【００２３】
枠体側固定部５５の上端部にも略Ｕ字状の上側切欠部５９が形成される。上側切欠部５９は、枠体側固定部５５が縦枠１４に固定されている状態において、室外側の端部が略上下方向に沿っているのに対し、室外側の端部が上方に向かうにつれて室外側に向かうように傾斜している。上側切欠部５９に外部開放錠６０が差し込まれることで、枠体側固定部５５の上端部が縦枠１４に固定される。
【００２４】
アーム部５０による障子１５の開度規制について説明する。図２に示すように、障子１５が閉鎖状態では、アーム部５０の長手方向は上下方向に沿った状態となる。図３に示すように、障子１５が閉鎖状態から開いた状態になると、ガイドピン２６がガイド溝５１の内側を移動し、該ガイドピン２６によってアーム部５０の下端部が室外側に回動する。ガイド溝５１の端部５１０にガイドピン２６が当接するところが障子１５の開閉範囲のうち、最大限に開いている状態となる。即ち、図２に示す状態が通常時における障子１５が最も開いている状態であり、開度規制装置４０により障子１５の開度が規制されている状態である。
【００２５】
次に、アーム部５０による開度規制を解除するための外部開放錠６０について説明する。外部開放錠６０は、消防隊員等が開き窓１を非常侵入口として屋内に入るために、緊急時に障子１５の開度規制を解除するための操作部材である。外部開放錠６０は、アーム部５０とは別体の独立した部品となっている。
【００２６】
外部開放錠６０の全体形状は、側面視においてＬ字状に形成される。本実施形態の外部開放錠６０は、スライド溝６１と、係合ピン６２と、操作レバー６３と、を備える。
【００２７】
スライド溝６１は、上下方向に細長に延びる長孔である。外部開放錠６０を枠体１０に固定するためのネジ７２は、スライド溝６１を挿通した状態で縦枠１４に締結される。ネジ７２の軸部の径はスライド溝６１の幅より小さく、ネジ７２の頭部がスライド溝６１の幅よりも大きくなっており、ネジ７２の頭部により外部開放錠６０の縦枠１４からの離脱が防止される。このスライド溝６１により、外部開放錠６０が相対的に下側の固定位置と、相対的に上側の開放位置と、の間を上下方向でスライド移動可能になっている。
【００２８】
係合ピン６２は、外部開放錠６０の下側の端部に設けられており、外部開放錠６０から見付方向の縦枠１４側に軸状に突出している。係合ピン６２が枠体側固定部５５の上側切欠部５９に係合することにより、枠体側固定部５５の上端部が縦枠１４に固定されることになる。
【００２９】
操作レバー６３は、外部開放錠６０の室外側の端部に設けられており、外部開放錠６０を操作する操作者がつかむ部分となっている。本実施形態の操作レバー６３は、その面が水平方向に沿って延びる平面部分を有しており、操作者が上下方向で操作レバー６３を容易に掴める構造となっている。なお、操作レバー６３の形状は、外部開放錠６０を操作できる構成であればよく、その形状は適宜変更することができる。
【００３０】
図４は、本実施形態の枠体１０と枠体側固定部５５の連結が解除された状態におけるアーム部５０及び外部開放錠６０の様子を模式的に示す図である。図４に示すように、操作レバー６３を持って外部開放錠６０を固定位置（図３に示す状態）から上方の開放位置に移動させることにより、係合ピン６２が枠体側固定部５５の上側切欠部５９から離脱し、枠体側固定部５５（アーム部５０）と縦枠１４（枠体１０）の連結が解除される。
【００３１】
図５は、本実施形態の枠体側固定部５５が回動中のアーム部５０及び外部開放錠６０の様子を模式的に示す図である。図５に示すように、アーム部５０と縦枠１４の連結が解除された状態で障子１５を更に開くと、アーム部５０（障子１５）が縦枠１４から離れるにつれてネジ７１の軸を回転中心として枠体側固定部５５の上端部が室外側に倒れる方向に回動し始める。この時点では枠体側固定部５５の下端部の下側切欠部５８とネジ７１の係合は維持されている。
【００３２】
図６は、本実施形態の開閉範囲の規制が解除された状態におけるアーム部５０及び外部開放錠６０の様子を模式的に示す図である。図６に示すように、障子１５が図５に示す状態よりも更に開かれると、ネジ７１の軸部に対して枠体側固定部５５の下側切欠部５８が離間し、枠体側固定部５５の下端部と縦枠１４の係合が解除される。この状態となることで、アーム部５０と縦枠１４の連結は完全に解除される。アーム部５０は、ネジ７１の支持を失ったところで、重力により自然に回動して障子１５のガイドピン２６に吊り下げられた状態となる。このように、外部開放錠６０を操作することにより、開度規制装置４０による障子１５の開度規制を容易に解除することができる。
【００３３】
以上説明した本実施形態は、以下のように構成される。
開き窓（建具）１は、建物の開口部に配置される枠体１０と、枠体１０に開閉可能に支持される障子１５と、枠体１０に離脱可能に連結される枠体側固定部５５及び障子１５に設けられるガイドピン（係合部材）２６がスライド移動可能に連結されるガイド溝５１を有し、障子１５の開閉範囲を規制するアーム部５０と、枠体１０と枠体側固定部５５の連結を解除可能な外部開放錠（外部操作部）６０と、を備える。外部開放錠６０が室外側から操作されることにより、枠体側固定部５５と枠体１０の連結が解除され、ガイドピン２６とガイド溝５１が連結された状態のままアーム部５０の規制を解除可能に構成される。
【００３４】
これにより、通常時はアーム部５０により障子１５の開閉を所定の範囲で規制して小開口を実現し、非常時には室外側の外部開放錠６０を操作してアーム部５０による規制を解除して障子１５を大きく開く（全開状態）ことができる。障子１５とアーム部５０の連結は解除する必要がなく、枠体１０と枠体側固定部５５の連結だけを解除すればよいので簡単な操作で規制を解除できるとともに、アーム部５０及び外部開放錠６０の構成をシンプルにまとめることができる。
本実施形態の構成から外部開放錠６０を省略したような外部開放錠６０を備えない仕様の開き窓（建具）においても、障子１５とアーム部５０の連結構造は変更する必要がないので、部品共通化も容易に実現できる。
【００３５】
枠体側固定部５５には上側切欠部５９が形成され、外部開放錠６０は、上側切欠部５９に係合し、枠体側固定部５５と枠体１０を連結する係合ピン６２を有し、外部開放錠６０の操作により、係合ピン６２が上側切欠部５９から離間して枠体１０と枠体側固定部５５の連結が解除される。
【００３６】
これにより、枠体１０と枠体側固定部５５の連結を解除する操作及び連結構造をより簡単なものにすることができる。また、外部開放錠６０を省略した開き窓においても、上側切欠部５９の部分にネジやピン等の軸状部材を固定するだけで枠体側固定部５５を枠体１０に固定できるので、枠体側固定部５５を変更する必要もなく、部品共通化をより一層容易に実現できる。
【００３７】
上側切欠部５９は、上方に開口しており、外部開放錠６０を上方に移動させることで枠体１０と枠体側固定部５５の連結が解除される。
【００３８】
これにより、外部開放錠６０を上方に持ち上げなければ枠体１０と枠体側固定部５５の連結が解除されなくなるので、外部からの衝撃により意図せず枠体１０と枠体側固定部５５の連結が解除される事態の発生を防止でき、通常時の障子１５の開度を規制する機能を安定的に維持できる。
【００３９】
また、本実施形態では、上側切欠部５９の室内側の端面が傾斜しているので、外部開放錠６０を上方に移動させた後に、操作レバー６３を室外側下方に傾ける手順を踏むことで、外部開放錠６０の上方への移動量を小さくして上側切欠部５９から係合ピン６２を容易に離脱させることが可能になっている。上側切欠部５９から係合ピン６２を離脱させるための手順を２アクションとなる構造を採用することで、ボール等が外部開放錠６０に衝突したとしても、枠体１０と枠体側固定部５５の連結が意図せず解除される事態がより一層効果的に防止することができる。なお、外部開放錠６０を上方に移動させるだけで、上側切欠部５９から係合ピン６２が離脱する構成としてもよい。
【００４０】
以上、本発明の好ましい実施形態について説明したが、本発明は、上述の実施形態に制限されるものではなく、適宜変更が可能である。また、本発明は、上記実施形態の開き窓の構成に限定されるわけではなく、縦辷りや横辷りの開き窓や、吊元側の枠にヒンジを介して支持される開き窓等、開閉範囲を規制する開度規制部を備える種々の建具に適用することができる。
【符号の説明】
【００４１】
１  開き窓（建具）
１０  枠体
１５  障子
２６  ガイドピン（係合部材）
５０  アーム部（開度規制部）
５１  ガイド溝
５５  枠体側固定部
５９  上側切欠部（切欠部）
６０  外部開放錠（外部操作部）
６２  係合ピン
【図１】
2018131731.tif 000003
【図２】
2018131731.tif 000004
【図３】
2018131731.tif 000005
【図４】
2018131731.tif 000006
【図５】
2018131731.tif 000007
【図６】
2018131731.tif 000008